(57)【特許請求の範囲】
【請求項１】
ヒートポンプによる運転方式により庫内に収容した商品を冷却あるいは加熱して、コールド商品，ホット商品を販売する自動販売機において、前記ヒートポンプ運転時に商品の加熱を補助する補助ヒータを備え、加熱運転に際し、前記ヒートポンプのみによる運転が行われている場合には、ヒートポンプのみ動作中であることを示す表示を自動販売機前面に設けられている金額表示器に点灯表示し、前記ヒートポンプによる運転並びに前記補助ヒータが起動している場合には、前記金額表示器のヒートポンプのみ動作中であることを示す点灯表示を点滅表示に切り替えて表示し、前記補助ヒータのみ起動している場合には、前記金額表示器を消灯すること特徴とする自動販売機の表示装置。
【発明の詳細な説明】
【技術分野】
【０００１】
本発明は、ヒートポンプによる運転方式により、商品を冷却または加熱して販売する自動販売機の表示装置に関する。
【背景技術】
【０００２】
近年、自動販売機において、庫内に収納する商品を冷却または加熱するためにヒートポンプによる運転方式を利用して、冷却または加熱する方式が知られており、このヒートポンプの運転方式により加熱する場合には、補助ヒータを備えている自動販売機が知られている。
このような構成の自動販売機について簡単に説明すると、ヒートポンプによる加熱運転では、熱交換器は凝縮器として用い、庫内ファンにより商品収納庫内の空気を循環させて、商品を加熱するものであり、ヒータのみで庫内を加熱する方式に比べて、省エネルギー化が図れる。
このヒートポンプによる運転方式では、電源投入時に、所定時間の間、補助ヒータを通電して加熱スピードを早め、また、外気温が低い時には、凝縮器の能力が低下するため、補助ヒータに通電して加熱能力を補い、温度低下を防いだりしている（特許文献１）。
また、に所定の温度までの加熱をヒータで行い、それ以上の温度範囲をヒートポンプ専用の運転で行うことも知られている（例えば、特許文献２参照）。
【特許文献１】特開２００１−１０９９４２号公報
【特許文献２】特開２００６−１５５０３１号公報
【発明の開示】
【発明が解決しようとする課題】
【０００３】
しかしながら、上記のヒートポンプによる運転方式では、状況に応じてヒートポンプ運転を行っているだけとなるため、当該自動販売機が所有者、利用者に対し、省エネルギーに貢献しているかが判り難いという課題があった。
そこで、本発明は、ヒートポンプによる運転を行っている場合には、表示できるようにして、ヒートポンプによる運転状態を簡単に確認することができる自動販売機の表示装置を提供することを目的とする。
【課題を解決するための手段】
【０００４】
本発明における自動販売機の表示装置は、ヒートポンプによる運転方式により庫内に収容した商品を冷却あるいは加熱して、コールド商品，ホット商品を販売する自動販売機において、前記ヒートポンプ運転時に商品の加熱を補助する補助ヒータを備え、加熱運転に際し、前記ヒートポンプのみによる運転が行われている場合には、ヒートポンプのみ動作中であることを示す表示を自動販売機前面に設けられている金額表示器に点灯表示し、前記ヒートポンプによる運転並びに前記補助ヒータが起動している場合には、前記金額表示器のヒートポンプのみ動作中であることを示す点灯表示を点滅表示に切り替えて表示し、前記補助ヒータのみ起動している場合には、前記金額表示器を消灯することを特徴とする。
【発明の効果】
【０００５】
本発明は、ヒートポンプによる運転中であることを報知できるようにすることにより、自動販売機における省エネルギ化への貢献度をアピールできるという効果が得られる。
また、表示を状態に応じて、切り替えることで、より現在の稼動状況が判り易くなる。
【発明を実施するための最良の形態】
【０００６】
以下に添付図面を参照して、本発明に係る自動販売機の好適な実施例を詳細に説明する。なお、この実施例によりこの発明が限定されるものではない。
本発明の自動販売機について、図１ないし図３を参照して説明する。図１は自動販売機の一例を示す概略正面図、図２は自動販売機の概略断面図、図３は冷媒回路の構成を示す冷媒回路図である。
まず、自動販売機１は、その本体キャビネット前面に外扉２０を備え、本体キャビネット１０内には複数（ｎ個）の商品収納ラックを備えている。このラックには、複数種類の商品を個別に収納し、冷却／加熱ユニット６０により商品を冷却または加熱する一方、商品選択ボタン９が押され、販売指令が与えられた場合に押された商品選択ボタン９に対応する商品の搬出を行うものである。
その前面側に外部から視認可能な商品見本２ａを内部に配列した商品見本展示室２、硬貨投入口３、紙幣挿入口４、硬貨返却口５、返却レバー６、商品取出口７、販売待機中はヒートポンプ運転中であることを表示し、硬貨投入口３あるいは紙幣挿入口４に貨幣が投入されると入金額などを表示する金額表示器８、販売可能ランプ，売切ランプを内蔵する商品選択ボタン９が設けられている。
【０００７】
内扉３０は、後述する商品収納庫４０ａ（４０ｂ、４０ｃ）の前面を開閉し、内部の商品を保温するものであり、上下２段に分割され内部に断熱体を有する箱型形状の構造体である。上側の内扉３０ａは、一端を外扉１０に枢軸し、他端を外扉２０に係着して、外扉２０の開放と同時に上側の内扉３０ａを開放させて、商品の補充を容易にするものである。下側の内扉３０ｂは、一端を本体キャビネット１０に枢軸し、他端を本体キャビネット１０に不図示の掛金にて掛着して、外扉２０を開放したときには、閉止した状態であり、商品収納庫４０ａ、４０ｂ、４０ｃ内の冷気もしくは暖気が流出することを防ぎ、メンテナンス時など必要に応じて開放できるものである。
商品収納庫４０ａ（４０ｂ、４０ｃ）は、缶入り飲料やペットボトル入り飲料等の商品を所望の温度に維持した状態で収容するためのものであり、本実施例は、商品収納庫４０ｃを冷却専用とし、商品収納庫４０ａ、４０ｂを冷却加熱兼用としている。その商品収納庫４０ａ（４０ｂ、４０ｃ）には、それぞれ、商品を上下方向に沿って並ぶ態様で収納し、販売信号により1個ずつ商品を排出するための商品搬出機構を備えた商品収納ラックＲ、排出された商品Ｓを内扉３０ｂに設けられた搬出扉３０ｃを介して外扉２０の商品取出口７へ搬出する商品搬出シュート４２を有している。
【０００８】
冷却／加熱ユニット６０は、冷凍サイクルを構成する圧縮機６１、凝縮器６２、膨張弁６３、分流器６４と、底板１１を跨いで庫内の蒸発器６５ａ、６５ｂ、６５ｃとを冷媒配管で連結した冷却部と、圧縮機６１から加熱熱交換器６６ａ、６６ｂとを冷媒配管で連結した加熱部と、商品収納庫４０ａ、４０ｂに設けられた加熱ヒータ８０ａ、８０ｂとから構成され、庫内に冷風または温風を循環させて商品収納ラックＲ内の商品Ｓを冷却または加熱するものである。
凝縮器６２の後部にはファン６２ｆが設けられ、ファン６２ｆは機械室５０の前面開口部より空気を吸入し、凝縮器６２による凝縮熱を吸収するとともに、圧縮機６１の排熱を吸収して、機械室５０の背面開口部へ排気するためのものである。
蒸発器６５ａ、６５ｂ、６５ｃは、商品収納庫４０ａ、４０ｂ、４０ｃを冷却するためのものであり、各商品収納庫の下部に設けられている。また、加熱熱交換器６６ｂ、６６ａは、蒸発器６５ｂ、６５ａの前に設けられ、商品収納庫４０ｂ、４０ａを加熱するためのものである。蒸発器６５ａ、６５ｂ、６５ｃ、加熱熱交換器６６ｂ、６６ａは、各商品収納庫４０ａ、４０ｂ、４０ｃにおいて、風胴６７で囲繞され、その後方にはファン６５ｆおよびダクト６７ｄが設けられている。商品収納庫内の冷却加熱は、蒸発器６５ａ、６５ｂ、６５ｃ、加熱熱交換器６６ｂ、６６ａにより冷却もしくは加熱された空気を商品収納庫内の商品Ｓに送風し、ダクト６７ｄより回収することで行われる。
【０００９】
図３は、冷却／加熱ユニット６０の冷媒回路図の一例を示すものであり、圧縮機６１から出た配管は電磁弁６８を介して凝縮器６２に接続され、凝縮器６２から出た配管は逆止弁７１を介して膨張弁６３に接続されている。膨張弁６３から出た配管は分流器６４に接続し、分流器６４より電磁弁７０ａ、７０ｂ、７０ｃを介して蒸発器６５ａ、６５ｂ、６５ｃに接続されて、蒸発器６５ａ、６５ｂ、６５ｃからの配管は集合してアキュムレータ６９を介して圧縮機６１に接続されている。なお、図３中の破線は、商品収納庫４０ａ、４０ｂ、４０ｃを示し、商品収納庫４０ａ、４０ｂ、４０ｃ内に庫内温度センサＴａ、Ｔｂ、Ｔｃおよび商品収納庫４０a、４０ｂに加熱ヒータ８０ａ、８０ｂが設けられていることを示す。また、周温センサＴｏは、商品収納庫外の機械室５０に設けられていることを示す。
一方、圧縮機６１から出た配管は電磁弁６８ａ、６８ｂを介して加熱熱交換器６６ａ、６６ｂに接続され、加熱熱交換器６６ａ、６６ｂを出た配管は、逆止弁７１、７１を介して集合し、庫外熱交換器７６に接続されている。また、庫外熱交換器７６から出た配管は、電子膨張弁７９を介して膨張弁６３の下流側に接続されている。
冷媒は、臨界圧力内で使用する冷媒、例えばフロン冷媒でＲ１３４ａを使用している。
【００１０】
次に、図４は、本実施形態のブロック図を示し、３１は自動販売機全体を制御する主制御部であり、主制御部３１には、制御プログラムを記憶するメモリ３１ａ、各種管理データを記憶するメモリ３１ｂを備えている。
この主制御部３１には、運転モードの設定、各種設定・確認を行うためのリモコン３２、貨幣処理部３３、商品搬出装置を制御する搬出制御部３４、庫内の商品を冷却／加熱する冷熱制御部３５が接続され、その他、金額表示器８、販売可能ランプ，売切ランプを内蔵する商品選択ボタン９が接続されており、冷熱制御部３５には、圧縮機６１、ファン６２ｆ、６５ｆ、電磁弁６８、７０ａ、７０ｂ、７０ｃ、膨張弁６３、加熱ヒータ８０ａ、８０ｂ、庫内温度センサＴａ、Ｔｂ、Ｔｃ、周温センサＴｏがそれぞれ接続されている。
リモコン３２は、Ｈ／Ｃ設定モードを有しており、Ｈ／Ｃ設定モードにより運転モードを設定して冷媒回路の電磁弁開閉の制御を行う。このＨ／Ｃ設定モードは、商品収納庫４０ａ、４０ｂ、４０ｃの冷却もしくは加熱の運転を設定するためのものであり、冷却の「Ｃ」と加熱の「Ｈ」の組み合わせで表わし、商品収納庫の左側から順に（４０ａ、４０ｂ、４０ｃ）、例えば、すべてが冷却の場合にはＣＣＣモード、左の商品収納庫のみが加熱の場合にはＨＣＣモードと記す。
【００１１】
次に、冷熱制御部３５は、庫内温度センサＴａ、Ｔｂ、Ｔｃにより各庫内の温度を検知して、サーモサイクル運転を行う。具体的には、庫内温度がサーモＯＦＦ設定温度（例えば、冷却の場合は−１℃、加熱の場合は６５℃、以下冷却ＯＦＦ温度、加熱ＯＦＦ温度という）になったときにはその庫内の蒸発器、加熱熱交換器に関する電磁弁を閉止し、または、加熱ヒータを停止し、庫内温度がサーモＯＮ設定温度（例えば、冷却の場合は８℃、加熱の場合は４５℃、以下冷却ＯＮ温度、加熱ＯＮ温度という）になったときにはその庫内の蒸発器、加熱熱交換器に関する電磁弁を開成し、または、加熱ヒータを通電して、庫内を適温に制御する。
また、庫内温度、周囲温度により運転モードを制御し、運転モードには、加熱熱交換器を稼動させて冷却加熱を同時に行うヒートポンプ運転、冷却のみを行う冷却単独運転、ヒータのみを用いて加熱する加熱単独運転があり、この状態に合わせて、金額表示器８にヒートポンプ運転の動作中表示を行う。
ここで、ＣＣＣモード、ＨＣＣモード、加熱単独運転の各運転について簡単に説明すると、ＣＣＣモード（冷却単独運転）の場合、電磁弁６８、７０ａ、７０ｂ、７０ｃを開成し、電磁弁６８ｂ、６８ａを閉止して、３室すべてを冷却する冷却単独運転を行う。具体的には、圧縮機６１で圧縮された高温冷媒は、凝縮器６２に凝縮され液冷媒となり、膨張弁６３で膨張して低温の気液２相流となり、分流器６４で３方に分流され蒸発器６５ａ、６５ｂ、６５ｃで蒸発し、商品収納庫４０ａ、４０ｂ、４０ｃが冷却される。気体となった冷媒は、液冷媒を貯留するアキュムレータ６９を介して気液分離させて圧縮機６１に戻る。この冷却は、庫内温度センサＴａ、Ｔｂ、Ｔｃによるサーモサイクル運転により庫内温度が適温に制御される。
【００１２】
次に、ＨＣＣモードの場合には、電磁弁６８ａ、７０ｂ、７０ｃを開成し、電磁弁６８、６８ｂ、７０ａを閉止して、１室加熱、２室を冷却するヒートポンプ運転を行う。具体的には、圧縮機６１で圧縮された高温冷媒は、加熱熱交換器６６ｂに流入して凝縮され、商品収納庫４０ａを加熱する。加熱熱交換器６６ａで凝縮され高温冷媒は、さらに庫外熱交換器７６で凝縮され、電子膨張弁７９で膨張される。電子膨張弁７９で膨張された冷媒は、低温の気液２相流となり、分流器６４で分流され蒸発器６５ｂ、６５ｃで蒸発し、商品収納庫４０ｂ、４０ｃが冷却される。蒸発器６５ｂ、６５ｃで気体となった冷媒は、アキュムレータ６９を介して圧縮機６１に戻る。このヒートポンプ運転も前述のようにサーモサイクル運転で庫内が適温に維持される。
次に、加熱単独運転では、冷媒回路を循環させることなく、加熱ヒータ８０ａを通電する。次に、庫内温度を読み込み、冷却室で中室４０ｂ、右室４０ｃの庫内温度が冷却ＯＮ温度以上に上がっていないかを監視し、冷却室の庫内温度が冷却ＯＮ温度以上に上がっていなければ、加熱室の庫内温度が加熱ＯＦＦ点に到達するまでヒータ通電による加熱を継続する。加熱室の庫内温度が加熱ＯＦＦ点に到達すれば、ヒータ通電を停止する。
このような構成において、本実施形態を図５のフローチャートを用いて説明する。
【００１３】
すなわち、販売待機中において、ヒートポンプ運転中であるかを判断し（ステップＳ０１）、図６に示すように金額表示器８の７セグメント表示器を利用して「ＨＰｉｎｇ」と表示させる（ステップＳ０２）。
一方、ヒートポンプ運転を行っていなければ（ステップＳ０１，Ｎｏ）、金額表示器８の表示を消灯させる（ステップＳ０３）。
なお、金額表示器８に「ＨＰｉｎｇ」と表示中に、硬貨投入口３に入金があれば、入金額に表示を切り替え、販売が終了すると、金額表示器８の表示を「ＨＰｉｎｇ」表示に切り替える。
また、ヒートポンプ運転とヒータ加熱とを併用している時間帯においては、金額表示器８の７セグメント表示器に「ＨＰｉｎｇ」表示させ、かつその表示を点滅する。
このように、ヒートポンプ運転がどのように行われているかが簡単に確認できる。
また、この他の表示方式として、以下の表示が考えられる。
まず、リモコン３２にも表示部を備えている場合、上記金額表示器８の表示と同様に表示できる。
また、金額表示器８、リモコン３２に専用の表示ランプを設け、点灯、点滅を切り替えて表示してもよい。
【００１４】
さらに、「ＨＰｉｎｇ」表示については、金額表示器８の桁数が４桁の場合には、「ＨＰ」のみを表示させるようにしてもよい。
【図面の簡単な説明】
【００１５】
【図１】本発明に係る自動販売機を示す概略正面図である。
【図２】図１に示した自動販売機の断面図である。
【図３】本発明に係る冷媒回路図である。
【図４】本発明の実施形態を示すブロック図である。
【図５】本発明の実施形態を示すフローチャートである。
【図６】本発明の実施形態を示す金額表示器の表示例を示す図である。
【符号の説明】
【００１６】
１      自動販売機
８      金額表示器
３１    主制御部
３２    リモコン
３５    冷熱制御部
４０ａ、４０ｂ、４０ｃ    商品収納庫（左室、中室、右室）
６０    冷却／加熱ユニット
６１    圧縮機
６２    凝縮器
６３    膨張弁
６５ａ、６５ｂ、６５ｃ    蒸発器
６８、６８ａ、６８ｂ    電磁弁
８０ａ、８０ｂ    加熱ヒータ
【図１】
0004831112.tif 000002
【図２】
0004831112.tif 000003
【図３】
0004831112.tif 000004
【図４】
0004831112.tif 000005
【図５】
0004831112.tif 000006
【図６】
0004831112.tif 000007